(57)【要約】【課題】本発明は、エンドプレート、ハウジング及び電池モジュールを提供する。【解決手段】エンドプレート１００は、電池モジュールに用いられ、板状の本体部１１０と、接続コラム１２０と、防爆孔１１４とを備え、当該本体部１１０は、互いに対向する第１の面１１１と第２の面１１２とを有し、電池モジュールの出力極が張り出されるように、２つ以上の出力極孔１１３が開設されており、当該接続コラム１２０は、第１の面１１１に設けられ、第１の方向（Ｚ）に沿って延在しており、第１の方向（Ｚ）に沿って貫通するように形成された接続貫通孔１２１を有し、当該防爆孔１１４は、本体部１１０に設けられ、電池モジュールの防爆弁を取り付けるのに用いる。本発明のエンドプレート１００の機能は多様化され、構造も単純化されている。【選択図】図１
2019160772.tif 000002
【特許請求の範囲】
【請求項１】
電池モジュールのハウジング用のエンドプレートであって、
互いに対向する第１の面と第２の面とを有し、前記電池モジュールの出力極が張り出されるように、出力極孔が開設された板状の本体部と、
前記第１の面に設けられ、第１の方向（Ｚ）に沿って延在し、前記第１の方向（Ｚ）に沿って貫通するように接続貫通孔が形成された接続コラムと、
前記本体部に設けられ、前記電池モジュールの防爆弁を取り付けるための防爆孔と、
を備えることを特徴とする、エンドプレート。
【請求項２】
前記出力極孔は２つであり、２つの前記出力極孔は、第２の方向（Ｙ）に沿って間隔をおいて前記本体部に分布され、
前記第２の方向（Ｙ）と前記第１の方向（Ｚ）とは、互いに直交し、前記防爆孔は、２つの前記出力極孔の間に設けられている
ことを特徴とする、請求項１に記載のエンドプレート。
【請求項３】
前記本体部に設けられ、前記電池モジュールの反転片を取り付けるための少なくとも２つの取付孔をさらに備え、
少なくとも２つの前記取付孔は、前記第２の方向（Ｙ）に沿って間隔をおいて分布され、且つ、少なくとも２つの前記取付孔と２つの前記出力極孔は、前記第１の方向（Ｚ）に沿って離間して並設される
ことを特徴とする、請求項２に記載のエンドプレート。
【請求項４】
前記第２の面が前記第１の面に向かって凹んで形成された複数の位置決めステージをさらに備え、
前記取付孔と前記防爆孔は、いずれも前記位置決めステージに設けられている
ことを特徴とする、請求項３に記載のエンドプレート。
【請求項５】
前記本体部を前記第２の面から前記第１の面に突出させて形成されたボスをさらに備え、
前記出力極孔と前記防爆孔は、いずれも前記ボスに設けられている
ことを特徴とする、請求項１に記載のエンドプレート。
【請求項６】
前記接続コラムは２つであり、２つの前記接続コラムは、前記第２の方向（Ｙ）に沿ってそれぞれ前記ボスの両側に設けられている
ことを特徴とする、請求項５に記載のエンドプレート。
【請求項７】
電池モジュール用のハウジングであって、
第３の方向（Ｘ）に沿って延在され、収容室と、前記収容室に連通する前記第３の方向（Ｘ）に沿って互いに対向するように設けられた２つの開口部とを有する樽状のハウジング本体と、
第２の面が前記ハウジング本体に近接するように、前記各開口部に配置された請求項１〜６のいずれかに記載のエンドプレートと、を備え、
前記第３の方向（Ｘ）と前記第１の方向（Ｚ）とは互いに直交する
ことを特徴とする、ハウジング。
【請求項８】
請求項７に記載のハウジングと、
第２の方向（Ｙ）に沿って収容室に並設された複数の単位電池と、
を備えることを特徴とする、電池モジュール。
【請求項９】
前記単位電池は、前記単位電池の前記第３方向（Ｘ）における両端のうちの少なくとも一方に設けられた出力端子を有する
ことを特徴とする、請求項８に記載の電池モジュール。
【請求項１０】
出力部材をさらに備え、
前記出力部材は、接続部材と出力極コラムとを含み、
前記接続部材には、接続孔が設けられ、前記出力極コラムは、その延在方向において接続部とストッパーとを有し、
前記接続部は、前記接続孔が前記出力孔を通過して前記接続孔に嵌設されるように、前記出力極孔と前記接続孔の直径に対応する直径を有し、
前記ストッパーの直径は、前記接続部材が前記出力極コラムを介して前記エンドプレートに固定されるように、前記接続部の直径以上である
ことを特徴とする、請求項８に記載の電池モジュール。
【発明の詳細な説明】
【技術分野】
【０００１】
本発明は、電池モジュール装置の技術分野に関し、特に、エンドプレート、ハウジング及び電池モジュールに関する。
【背景技術】
【０００２】
新エネルギー車にリチウムイオン電池を幅広く適用することに伴い、リチウムイオン電池パックの様々な性能に対する要求がますます高まって、リチウムイオン電池パックの様々な性能の改良が必要とされている。従来のリチウムイオン電池パックの電池モジュールは、主にエンドプレートと側板と電池ユニットとからなり、複数の電池ユニットをグループ化した後、エンドプレートと側板をグループ化された電池ユニットの周辺に接着溶接することによりハウジングを構成する。従来のエンドプレートは、機能が単一であり、ただグループ化された電池ユニットを封止するために使用されるので、電池モジュールの構造は複雑である。
【０００３】
したがって、新しいエンドプレート、ハウジング及び電池モジュールが必要とされている。
【発明の概要】
【発明が解決しようとする課題】
【０００４】
本発明の実施例は、エンドプレートの機能を充実させ、電池モジュールの構造を単純化させるエンドプレート、ハウジング及び電池モジュールを提供することを目的とする。
【課題を解決するための手段】
【０００５】
本発明の実施例の一態様は、電池モジュールのハウジング用のエンドプレートであって、互いに対向する第１の面と第２の面とを有し、電池モジュールの出力極が張り出されるように、出力極孔が開設された板状の本体部と、第１の面に設けられ、第１の方向（Ｚ）に沿って延在し、当該第１の方向（Ｚ）に沿って貫通するように接続貫通孔が形成された接続コラムと、本体部に設けられ、電池モジュールの防爆弁を取り付けるための防爆孔と、を備えるエンドプレートを提供する。
【０００６】
本発明の一形態によると、出力極孔は２つであり、２つの出力極孔は、第２の方向（Ｙ）に沿って間隔をおいて本体部に分布され、
第２の方向（Ｙ）と第１の方向（Ｚ）とは、互いに直交し、防爆孔は、２つの出力極孔の間に設けられている。
【０００７】
本発明の一態様によると、本体部に設けられ、電池モジュールの反転片を取り付けるための少なくとも２つの取付孔をさらに備え、少なくとも２つの取付孔は、第２の方向（Ｙ）に沿って間隔をおいて分布され、且つ、少なくとも２つの取付孔と２つの出力極孔は、第１の方向（Ｚ）に沿って離間して並設される。
【０００８】
本発明の一態様によると、第２の面が第１の面に向かって凹んで形成された複数の位置決めステージをさらに備え、取付孔と防爆孔は、いずれも位置決めステージに設けられている。
【０００９】
本発明の一態様によると、本体部を第２の面から第１の面に突出させて形成されたボスをさらに備え、出力極孔と防爆孔は、いずれもボスに設けられている。
【００１０】
本発明の一態様によると、接続コラムは２つであり、２つの接続コラムは、第２の方向（Ｙ）に沿ってそれぞれボスの両側に設けられている。
【００１１】
本発明の別の実施例は、電池モジュール用のハウジングであって、第３の方向（Ｘ）に沿って延在され、収容室と、当該収容室に連通する第３の方向（Ｘ）に沿って互いに対向するように設けられた２つの開口部とを有する樽状のハウジング本体と、第２の面がハウジング本体に近接するように、各開口部に配置された上記エンドプレートと、を備え、第３の方向（Ｘ）と第１の方向（Ｚ）とは互いに直交するハウジングを提供する。
【００１２】
本発明のまた別の実施例は、上記のハウジングと、第２の方向（Ｙ）に沿って収容室に並設された複数の単位電池とを備える電池モジュールを提供する。
本発明の一態様によると、単位電池は、単位電池の第３の方向（Ｘ）における両端のうちの少なくとも一方に設けられた出力端子を有する。
【００１３】
本発明の一態様によると、出力部材をさらに備え、出力部材は、接続部材と出力極コラムとを含み、前記接続部材には、接続孔が設けられ、前記出力極コラムは、その延在方向において接続部とストッパーとを有し、前記接続部は、前記接続孔が前記出力極孔を通過して前記接続孔に嵌設されるように、前記出力極孔と前記接続孔の直径に対応する直径を有し、前記ストッパーの直径は、前記接続部材が前記出力極コラムを介して前記エンドプレートに固定されるように、前記接続部の直径以上である。
【発明の効果】
【００１４】
本発明の実施例では、エンドプレートには、電池モジュールの出力極が張り出されるように、出力極孔が設けられ、エンドプレートの第１の面には、複数の電池モジュールを容易に接続するための接続コラムが設けられている。エンドプレートの表面に接続コラムが設けられているため、エンドプレートの本体を薄くすることができ、電池モジュールの軽量化を図ることができ、電池モジュールのエネルギー密度を高める。また、本体部に設けられた防爆孔は、電池モジュールの防爆弁の装着を容易にするものであり、本発明の実施例のエンドプレートの機能の多様化、軽量化、及び構造の簡単化が図られる。
【００１５】
本発明の他の特徴、目的及び利点は、添付の図面を参照して非限定的な実施例の以下の詳細な説明を読むことにより、より明らかになる。ここで、同一または類似の符号は、同一または類似の特徴を表す。
【図面の簡単な説明】
【００１６】
【図１】図１は、本発明の実施例によるエンドプレートの斜視構成図である。
【図２】図２は、本発明の実施例によるエンドプレートの別の視点からの斜視構成図である。
【図３】図３は、本発明の実施例によるエンドプレートの正面図である。
【図４】図４は、図３のＡ−Ａにおける断面図である。
【図５】図５は、本発明の実施例によるエンドプレートの上面図である。
【図６】図６は、本発明の実施例によるハウジングの構成図である。
【図７】図７は、本発明の実施例による電池モジュールの分解構成図である。
【図８】図８は、本発明の実施例による電池モジュールの出力部材の構成図である。
【発明を実施するための形態】
【００１７】
以下、本発明の様々な態様の特徴及び例示的な実施例について詳細に説明する。以下の詳細な説明では、本発明の完全な理解を図るために、多数の特定の詳細が述べられている。しかし、当業者であれば、本発明は、これらの特定の詳細における一部の詳細がなくても実施することができることは明らかである。以下、実施例に対する説明は、本発明の例を示すことにより、本発明のより良い理解を図ることに過ぎない。図面及び以下の説明において、本発明を不明瞭にすることを避けるために、少なくとも一部の周知の構造及び技術は記載されていない。なお、明確にするために、一部の構造の寸法は拡大されている。また、以下に説明する特徴、構造又は特性は、１つ又は複数の実施例において、任意の適切な方式で組み合わせられることができる。
【００１８】
以下の説明に表れる指向の用語は、いずれも図面における方向を示すものであり、本発明の特定の構造を限定するものではない。本発明の説明において、特に明記しない限り、「取付」や「接続」という用語は、広義的に理解すべきであり、例えば、固定接続又は着脱自在に接続されてもよく、或いは、一体的に接続されてもよく、直接的又は間接的に接続されてもよい。当業者であれば、本発明における上記用語の具体的な意味は、具体的な場合によって理解すべきである。
【００１９】
本発明をより良く理解するために、以下、本発明の実施例によるエンドプレート、ハウジング及び電池モジュールについて、図１〜図８を参照して詳細に説明する。このうち、第１の方向（Ｚ）、第２の方向（Ｙ）及び第３の方向（Ｘ）は、図７に示す通りである。
【００２０】
図１〜図５は、エンドプレート１００の構造を示す構成図である。エンドプレート１００は、互いに対向する第１の面１１１と第２の面１１２とを有し、電池モジュールの出力極が張り出されるように、２つ以上の出力極孔１１３が開設された板状の本体部１１０と、第１の面１１１に設けられ、第１方向（Ｚ）に沿って延在し、且つ第１の方向（Ｚ）に沿った接続貫通孔１２１を有する接続コラム１２０と、本体部１１０に設けられ、電池モジュールの防爆弁を取り付けるための防爆孔１１４と、を備える。
【００２１】
本発明の実施例では、エンドプレート１００には、電池モジュールの出力極が張り出されるように、出力極孔１１３が設けられている。エンドプレート１００の第１の面１１１には、接続コラム１２０がさらに設けられ、接続コラム１２０には、複数の電池モジュールが接続コラム１２０の延在方向に沿って接続コラム１２０の接続貫通孔１２１を介して容易に接続されるように、接続貫通孔１２１が設けられている。また、エンドプレート１００の本体に接続貫通孔１２１を設けることの代わりに、エンドプレート１００の表面に接続コラム１２０を設けることで、エンドプレート１００の厚さに対する要求が低くなり、エンドプレート１００の本体部１１０を薄くすることができ、電池モジュールの重量を減らし、電池モジュールのエネルギー密度を向上させることができる。また、本体部１１０に防爆孔１１４を設けることで、電池モジュールの防爆弁の取付けを容易にする。本発明の実施例のエンドプレート１００は、多様な機能、軽量及び簡単な構造を有する。
【００２２】
エンドプレート１００の材質は特に限定されないが、エンドプレート１００の強度を確保するために、アルミニウムプレート、鋼板、鉄板などからなる。
【００２３】
出力極孔１１３の配置方式は複種種類あるが、例示的な実施態様として、２つの出力極孔１１３が設けられ、２つの出力極孔１１３は、第２の方向（Ｙ）に沿って間隔をおいて本体部１１０に分布され、第２の方向（Ｙ）と第１の方向（Ｚ）とは、互いに直交している。これらの例示的な実施例では、２つの出力極孔１１３により、電池モジュールの正及び負の出力極が張り出されることができ、２つの出力極孔１１３は、図の第２の方向（Ｙ）に沿って間隔をおいて分布され、出力極孔１１３によるエンドプレート１００の強度に及ぼす影響を極力低減させ、エンドプレート１００が十分な強度を有することを確保する。
【００２４】
いくつかの例示的な実施例では、エンドプレート１００は、電池モジュールの反転片を取付けるための少なくとも２つの取付孔１１５をさらに含む。これらの例示的な実施例では、エンドプレート１００には、取付孔１１５がさらに設けられ、電池モジュールの反転片を溶接などにより取付孔１１５に固定することにより、エンドプレート１００の機能をより一層充実させることができるので、電池モジュールの部品数を減らし、電池モジュールの構造を簡素化することができる。
【００２５】
いくつかの例示的な実施例では、２つの取付孔１１５があり、２つの取付孔１１５は、第２の方向（Ｙ）に沿って間隔をおいて分布され、且つ、２つの取付孔１１５と２つの出力極孔１１３は、第１の方向（Ｚ）に沿って離間して並設される。防爆孔１１４は、１つあり、２つの出力極孔１１３の間に分布される。これらの例示的な実施例では、取付孔１１５と出力極孔１１３は、第１の方向（Ｚ）に沿って並設されており、電池モジュールにおいて、反転片の取付孔１１５の孔径は、一般的に、出力極孔１１３の孔径よりも大きい。このため、防爆孔１１４を出力極孔１１３の間に配置することにより、エンドプレート１００の開口部２１２によるエンドプレート１００の強度への影響を低減することができる。
【００２６】
いくつかの例示的な実施例では、エンドプレート１００には、第２の面１１２が第１の面１１１に向かって凹んで形成された複数の位置決めステージ１３０をさらに設けている。取付孔１１５と防爆孔１１４の少なくとも１つが位置決めステージ１３０に設けられている。これらの例示的な実施例では、エンドプレート１００に位置決めステージ１３０を設けることで、エンドプレート１００における防爆弁及び反転片の位置決めを容易にし、防爆弁又は反転片を防爆孔１１４又は取付孔１１５に容易に固定させる。
【００２７】
いくつかの例示的な実施例では、エンドプレート１００は、本体部１１０を第２の面１１２から第１の面１１１に突出させることによって形成されたボス１４０をさらに含む。出力極孔１１３と防爆孔１１４は、いずれもボス１４０に設けられている。これらの例示的な実施例では、ボス１４０を設けることにより、エンドプレート１００の強度を向上させるとともに、出力極孔１１３及び防爆孔１１４の位置決めを容易にすることができ、エンドプレート１００を容易に加工成形する。さらに、位置決めステージ１３０は、位置決めステージ１３０の位置決めを容易にし、エンドプレート１００の加工成形を容易にするために、ボス１４０に設けてもよい。
【００２８】
いくつかの例示的な実施例では、２つの接続コラム１２０が設けられ、第２の方向（Ｙ）に沿ってそれぞれボス１４０の両側に配置される。これらの例示的な実施例では、ボス１４０の両側に２つの接続コラム１２０を設けることにより、エンドプレート１００の強度をさらに高めることができる。
【００２９】
図６及び図７を参照すると、本発明の第２の実施例は、電池モジュール用のハウジング２００を提供し、ハウジング２００は、第３の方向（Ｘ）に沿って延びる樽状のハウジング本体２１０と、上記した任意の実施例におけるエンドプレート１００とを備え、ハウジング本体２１０は、収容室２１１と、収容室２１１に連通する第３の方向（Ｘ）に沿って対向するように設けられた２つの開口部２１２とを有する。各開口部２１２には、エンドプレート１００が設けられ、エンドプレート１００の第２の面１１２がハウジング本体２１０に近接して配置される。第３の方向（Ｘ）と第１の方向（Ｚ）とは、互いに直交する。
【００３０】
本発明の実施例では、電池モジュール用のハウジング２００は、ハウジング本体２１０と、少なくとも２つのエンドプレート１００とを含み、ハウジング本体２１０は、電池モジュールの組立やアセンブリを容易にする樽状をなす。ハウジング２００は、上述した実施例のいずれか１つのエンドプレート１００をさらに備えているため、上述した実施例のいずれかの有利な効果を有し、ここでは重複する説明を省略する。
【００３１】
いくつかの例示的な実施例では、ハウジング本体２１０の第３の方向（Ｘ）の長さは、第２の方向（Ｙ）の幅よりも大きく、ハウジング本体２１０の幅は、第１の方向（Ｚ）の高さよりも大きい。これらの例示的な実施例では、ハウジング２００の第１の方向（Ｚ）の高さは小さいが、電池モジュールをリチウムイオン電池、特に新エネルギー自動車用リチウムイオン電池に適用する場合、高さ方向の空間は非常に限られているが、長さと幅方向の空間にはある程度のマージンがある。本実施例の電池モジュールを用いると、非常に重要である高さ方向の空間を占有することがなくなり、パワーバッテリのエネルギー密度を向上させるのに有利である。
【００３２】
本発明の第３の実施例は、上記実施例のいずれかに記載のハウジング２００と、複数の単位電池３００とを含む電池モジュールを提供し、複数の単位電池３００は、第２の方向（Ｙ）に沿って収容室２１１に並設される。本発明では、電池モジュールは、上記実施例に記載されたハウジング２００を備えているので、上記実施例のハウジング２００の効果を有し、ここでは詳細な説明を省略する。
【００３３】
いくつかの例示的な実施例では、単位電池３００は、単位電池３００の第３の方向（Ｘ）の両端のうちの少なくとも一方に設けられた出力端子３１０を含む。これらの例示的な実施例では、単位電池３００の出力端子３１０は、単位電池３００の第３の方向（Ｘ）の両端のうちの少なくとも一方に設けられているので、出力端子３１０は、第１の方向（Ｚ）における高さ方向の空間を占有しないとともに、第１の方向（Ｚ）の単位電池３００の強度にも影響を与えない。
【００３４】
いくつかの例示的な実施例では、電池モジュールは、エンドプレート１００の防爆孔１１４に配置された防爆弁（図示せず）も含む。また、電池モジュールは、エンドプレート１００の取付孔１１５に配置された反転片（図示せず）をさらに含む。
【００３５】
図８を参照すると、いくつかの例示的な実施例では、電池モジュールは、出力部材５００をさらに含む。出力部材５００は、接続部材５１０及び出力極コラム５２０を含み、接続部材５１０には、接続孔５１１が設けられ、前記出力極コラム５２０は、その延在方向において接続部５２１及びストッパー５２２を有し、接続部５２１は、出力極コラム５２０が出力極孔１１３を通過して接続孔５１１に嵌設されるように、出力極孔１１３及び接続孔５１１の直径に対応する直径を有し、ストッパー５２２の直径は、接続部材５１０が出力極コラム５２０を介してエンドプレート１００に固定されるように、接続部５２１の直径以上である。これらの例示的な実施例では、電池モジュールと外部装置との間の電気的接続は、接続部材５１０によって実現され、接続部材５１０は、出力極コラム５２０を介してエンドプレート１００に固定することができる。ここで、ストッパー５２２の直径は限定されず、好ましくは、ストッパー５２２の直径は、接続部５２１の直径より大きく、ストッパー５２２の止め機能により、接続部材５１０をエンドプレート１００に確実に固定することができる。
【００３６】
いくつかの例示的な実施例では、電池モジュールは、単位電池３００とエンドプレート１００との間に配置された絶縁断熱板４００をさらに含む。
【００３７】
本発明は、その精神及び本質的な特徴から逸脱しない限り、他の特定の形態で実施することができる。例えば、特定の実施例で説明したアルゴリズムは、本発明の基本的な精神から逸脱することなく変更することができる。よって、本実施例は、すべての点で例示的であり、限定的ではなく、本発明の範囲は、前述の説明ではなく、添付の特許請求の範囲によって定義され、特許請求の範囲の意味及び均等物の範囲内に入るすべての変更は、本発明の範囲内に含まれるべきである。
【符号の説明】
【００３８】
１００…エンドプレート
１１０…本体部、１１１…第１の面、１１２…第２の面、１１３…出力極孔、１１４…防爆孔、１１５…取付孔
１２０…接続コラム、１２１…接続貫通孔
１３０…位置決めステージ
１４０…ボス
２００…ハウジング
２１０…ハウジング本体、２１１…収容室、２１２…開口部
３００…単位電池
３１０…出力端子
４００…絶縁断熱板
５００…出力部材
５１０…接続部材、５１１…接続孔
５２０…出力極コラム、５２１…接続部、５２２…ストッパー
【図１】
2019160772.tif 000003
【図２】
2019160772.tif 000004
【図３】
2019160772.tif 000005
【図４】
2019160772.tif 000006
【図５】
2019160772.tif 000007
【図６】
2019160772.tif 000008
【図７】
2019160772.tif 000009
【図８】
2019160772.tif 000010
【手続補正書】
【提出日】令和1年8月6日(2019.8.6)
【手続補正１】
【補正対象書類名】特許請求の範囲
【補正対象項目名】全文
【補正方法】変更
【補正の内容】
【特許請求の範囲】
【請求項１】
電池モジュールのハウジング用のエンドプレートであって、
互いに対向する第１の面と第２の面とを有し、前記電池モジュールの出力極が張り出されるように、出力極孔が開設された板状の本体部と、
前記第１の面に設けられ、第１の方向（Ｚ）に沿って延在し、前記第１の方向（Ｚ）に沿って貫通するように接続貫通孔が形成された接続コラムと、
前記本体部に設けられ、前記電池モジュールの防爆弁を取り付けるための防爆孔と、
を備えることを特徴とする、エンドプレート。
【請求項２】
前記出力極孔は２つであり、２つの前記出力極孔は、第２の方向（Ｙ）に沿って間隔をおいて前記本体部に分布され、
前記第２の方向（Ｙ）と前記第１の方向（Ｚ）とは、互いに直交し、前記防爆孔は、２つの前記出力極孔の間に設けられている
ことを特徴とする、請求項１に記載のエンドプレート。
【請求項３】
前記本体部に設けられ、前記電池モジュールの反転片を取り付けるための少なくとも２つの取付孔をさらに備え、
少なくとも２つの前記取付孔は、前記第２の方向（Ｙ）に沿って間隔をおいて分布され、且つ、少なくとも２つの前記取付孔と２つの前記出力極孔は、前記第１の方向（Ｚ）に沿って離間して並設される
ことを特徴とする、請求項２に記載のエンドプレート。
【請求項４】
前記第２の面が前記第１の面に向かって凹んで形成された複数の位置決めステージをさらに備え、
前記取付孔と前記防爆孔は、いずれも前記位置決めステージに設けられている
ことを特徴とする、請求項３に記載のエンドプレート。
【請求項５】
前記本体部を前記第２の面から前記第１の面に突出させて形成されたボスをさらに備え、
前記出力極孔と前記防爆孔は、いずれも前記ボスに設けられている
ことを特徴とする、請求項１に記載のエンドプレート。
【請求項６】
前記接続コラムは２つであり、２つの前記接続コラムは、第２の方向（Ｙ）に沿ってそれぞれ前記ボスの両側に設けられている
ことを特徴とする、請求項５に記載のエンドプレート。
【請求項７】
電池モジュール用のハウジングであって、
第３の方向（Ｘ）に沿って延在され、収容室と、前記収容室に連通する前記第３の方向（Ｘ）に沿って互いに対向するように設けられた２つの開口部とを有する樽状のハウジング本体と、
第２の面が前記ハウジング本体に近接するように、前記各開口部に配置された請求項１〜６のいずれかに記載のエンドプレートと、を備え、
前記第３の方向（Ｘ）と前記第１の方向（Ｚ）とは互いに直交する
ことを特徴とする、ハウジング。
【請求項８】
請求項７に記載のハウジングと、
第２の方向（Ｙ）に沿って収容室に並設された複数の単位電池と、
を備えることを特徴とする、電池モジュール。
【請求項９】
前記単位電池は、前記単位電池の前記第３の方向（Ｘ）における両端のうちの少なくとも一方に設けられた出力端子を有する
ことを特徴とする、請求項８に記載の電池モジュール。
【請求項１０】
出力部材をさらに備え、
前記出力部材は、接続部材と出力極コラムとを含み、
前記接続部材には、接続孔が設けられ、前記出力極コラムは、その延在方向において接続部とストッパーとを有し、
前記接続部は、前記接続孔が前記出力極孔を通過して前記接続孔に嵌設されるように、前記出力極孔と前記接続孔の直径に対応する直径を有し、
前記ストッパーの直径は、前記接続部材が前記出力極コラムを介して前記エンドプレートに固定されるように、前記接続部の直径以上である
ことを特徴とする、請求項８に記載の電池モジュール。